(57)【要約】      （修正有）【課題】容器に充填した内容物の熱により装着体が高温になっても、容器の口部との間に隙間が生じることがない容器用キャップを提供すること。【解決手段】この考案の容器用キャップは、容器の口部１に装着されるようにした装着体２と、装着体２の開口部３を塞ぐ蓋体を有する合成樹脂製の容器用キャップであって、装着体２は外周部５と内周部６を有し、外周部５と内周部６の間に容器の口部１を挿入するようにしており、前記内周部６の内側に装着体２よりも耐熱性の高いリング状部材７を設けたものとしている。【選択図】図５
0003105649.tif 000002
【実用新案登録請求の範囲】
【請求項１】
容器の口部（１）に装着されるようにした装着体（２）と、装着体（２）の開口部（３）を塞ぐ蓋体（４）を有する合成樹脂製の容器用キャップであって、装着体（２）は外周部（５）と内周部（６）を有し、外周部（５）と内周部（６）の間に容器の口部（１）を挿入するようにしており、前記内周部（６）の内側に装着体（２）よりも耐熱性の高いリング状部材（７）を設けていることを特徴とする容器用キャップ。
【請求項２】
リング状部材（７）の耐熱温度が６５℃以上である請求項１記載の容器用キャップ。
【請求項３】
装着体（２）の主原料がポリエチレンであり、リング状部材（７）がポリプロピレン製である請求項１記載の容器用キャップ。
【考案の詳細な説明】
【技術分野】
【０００１】
この考案は、お茶等の飲料、醤油、みりん等の調味料や、その他適宜の液体状の内容物を入れた容器の口部に装着される容器用キャップに関するものである。
【背景技術】
【０００２】
従来より、容器の口部に装着されるようにした装着体と、装着体の開口部を塞ぐ蓋体を有する合成樹脂製の容器用キャップが、お茶、醤油やみりん等の液体状の内容物を充填して販売されるＰＥＴ樹脂製のボトルやガラス瓶等の容器に使用されている。
【０００３】
ところで、一般的には、容器に充填される内容物は６５℃以下であったが、ＰＥＴ樹脂を結晶化させる技術の開発により、ＰＥＴ樹脂製のボトルの口部の耐熱性を向上させられるようになったことで、容器に６５℃〜９５℃程度の高温にした内容物を充填することが求められるようになってきている。
【０００４】
しかし、特許文献１に記載のような従来の容器用キャップは、主原料がポリエチレンであり、高温の内容物を容器に充填すると、熱で収縮したり変形したりし、容器の口部との間に隙間が生じて密封性が損なわれるという問題があった。
【特許文献１】実用新案登録第３０９３９１５号公報
【考案の開示】
【考案が解決しようとする課題】
【０００５】
そこで、この考案は、容器に充填した内容物の熱により装着体が高温になっても、容器の口部との間に隙間が生じることがない容器用キャップを提供することを課題とする。
【課題を解決するための手段】
【０００６】
この考案の容器用キャップは、容器の口部１に装着されるようにした装着体２と、装着体２の開口部３を塞ぐ蓋体４を有する合成樹脂製の容器用キャップであって、装着体２は外周部５と内周部６を有し、外周部５と内周部６の間に容器の口部１を挿入するようにしており、前記内周部６の内側に装着体２よりも耐熱性の高いリング状部材７を設けたものとしている。
【０００７】
リング状部材７は、耐熱温度が６５℃以上であるものとすることができる。
【０００８】
また、装着体２の主原料がポリエチレンであり、リング状部材７がポリプロピレン製であるものとすることができる。
【考案の効果】
【０００９】
この考案の容器用キャップは、上述のような構成を有しており、装着体２が容器に充填した内容物の熱により収縮、変形しようとしても、その内周部６の内側に設けたリング状部材７により収縮、変形が抑えられるため、前記内周部６と容器の口部１との間に隙間が生じることが防止され、高い密封性が得られる。
【００１０】
さらに、リング状部材７の耐熱温度が６５℃以上であれば、比較的高温な内容物が充填される口部１が結晶化したＰＥＴ樹脂製等の容器に装着することができる。
【００１１】
また、装着体２の主原料がポリエチレンであり、リング状部材７がポリプロピレン製であれば、装着体２はプルトップ式の開栓ができる構成とすることが可能で、リング状部材７は耐熱温度が高いので、容器に比較的高温な内容物が充填される場合でも、前記内周部６と容器の口部１との間に隙間が生じることが防止される。
【考案を実施するための最良の形態】
【００１２】
この考案の容器用キャップは、容器の口部１に装着されるようにした装着体２と、装着体２の開口部３を塞ぐ蓋体４を有する合成樹脂製の容器用キャップであって、装着体２は外周部５と内周部６を有し、外周部５と内周部６の間に容器の口部１を嵌め込むようにしており、前記内周部６の内側に装着体２よりも耐熱性の高いリング状部材７を設けているものとしている。
【００１３】
以下、この考案の好適な実施形態を、図面を参照して説明する。
【００１４】
図１はこの考案の容器用キャップの正面図、図２はその断面図、図３は装着体２の正面図、図４はリング状部材７の一部切欠斜視図、図５はこの容器用キャップを容器の口部１に装着した場合の断面図である。
【００１５】
装着体２はポリエチレン製で、断面円形状としており、図２、図３に示したように、外周部５と内周部６からなる。外周部５は、内周部６の半分程度の高さから外方に突出して下方に延びた形状となっている。内周部６は、容器の口部１の内面に沿い、その上方に突出するように延びている。内周部６の上部８の外周には螺子が形成されており、蓋体４が螺着できるようになっている。また、外周部５の上部９の外周には蓋体４の鍔部１０が嵌合するようになっており、外周部５の下端部１１は内側に突起を有しており、容器の口部１に形成された凹部１２に入るようにしている。
【００１６】
また、内周部６は、その上端部の内側にプルトップ式の開栓が可能な開口部３を一体に設けている。開口部３は横断面が円形の筒状で、その上部が装着された容器の口部１上方に突出し、下部が内周部６と若干の隙間を有して下方に延びるようにしている。
【００１７】
開口部３の上部の下端の内側には内容物遮断壁１３が形成されている。内容物遮断壁１３には薄肉部分１４が形成されており、この薄肉部分１４の内側に接続されたプルタブ１５を引いて内容物遮断壁１３を開口させられるようになっている。
【００１８】
リング状部材７は、ポリプロピレン製としている。リング状部材７は、その外周面が装着体２の内周部６の内面に接した状態で、装着体２から脱落しないようになっている。図４に示したように、リング状部材７は、その上部１６が前記装着体２の内周部６と開口部３の下部との間の隙間に嵌り込ませられるように厚みが薄くなっており、下部１７は厚く、その下端が装着体２の内周部６の下端と同じ高さ位置になるようにしている。
【００１９】
蓋体４はポリエチレン製で、装着体２に螺着により着脱可能としたものとしている。蓋体４の周壁の内側には螺子が形成されており、前記装着体２の内周部６の螺子と螺合するようになっている。蓋体４は、ヒンジを介して装着体２と一体に形成してもよい。
【００２０】
この容器用キャップを容器の口部１に装着するには、まず、リング状部材７を取り付けた装着体２の、外周部５と内周部６との間の隙間１８に容器の口部１を挿入する。
【００２１】
そして、高温にしたお茶等の内容物を容器に充填し、しばらく放置することにより自然冷却する。前記装着体２は、内容物の熱により収縮、変形しようとするが、前記リング状部材７は耐熱温度が高く、収縮、変形しにくい。そのため、容器の口部１の内面に沿う装着体２の内周部６は、収縮、変形が抑えられ、図５に示したように容器の口部１の内面に接した状態に保たれ、前記内周部６と容器の口部１との間に隙間が生じることなく、容器内の密封状態をしっかりと保つことができる。
【００２２】
なお、リング状部材７は、耐熱温度が内容物の充填時における装着体２や容器の口部１の温度より高いものであればよく、耐熱温度が６５℃以上であれば、この容器用キャップを、比較的高温な内容物が充填される口部１が結晶化したＰＥＴ樹脂製等の容器に装着することができる。
【００２３】
次に、この容器用キャップについての性能試験の結果について示す。表１は、前述の容器用キャップと容器１６組について充填処理した場合の減圧値の測定結果（平均値）である。
【００２４】
【表１】
0003105649.tif 000003
【００２５】
この試験では、容器は口部１を結晶化した耐熱ＰＥＴボトル（容量３３０ｃｃ）としており、充填内容液として水道水を使用し、容器内の充填内容液の温度を９７℃〜９９℃、容器の温度を９２℃（±２℃）とした。そして、自然冷却したものを５℃、２５℃、４０℃の保管庫に入れ、２４時間後、１週間後、１ヵ月後に減圧値を測定した。測定液温は１５℃である。
【００２６】
この測定結果から、いずれの保管温度の場合でも、この発明の容器用キャップによって、容器は高い密閉性が得られることがわかった。
【００２７】
なお、この発明の容器用キャップは、この実施形態に示した形状や素材に限定されることなく、適宜変更して実施することが可能である。
【産業上の利用可能性】
【００２８】
従来の容器用キャップに代わるものとして利用することが可能である。
【図面の簡単な説明】
【００２９】
【図１】この考案の実施形態の容器用キャップの正面図である。
【図２】この考案の実施形態の容器用キャップの断面図である。
【図３】この考案の実施形態の容器用キャップの装着体の正面図である。
【図４】この考案の実施形態の容器用キャップのリング状部材の一部切欠斜視図である。
【図５】この考案の実施形態の容器用キャップを容器の口部に装着した場合の断面図である。
【符号の説明】
【００３０】
１  容器の口部
２  装着体
３  開口部
４  蓋体
５  外周部
６  内周部
７  リング状部材
【図１】
0003105649.tif 000004
【図２】
0003105649.tif 000005
【図３】
0003105649.tif 000006
【図４】
0003105649.tif 000007
【図５】
0003105649.tif 000008